(57)【要約】【課題】テキスト表示機能やテキスト読み上げ音声出力機能を備えた小型携帯電子辞書などの電子機器で、ユーザ指定の任意の見出語や説明情報中のテキスト部分を、実音声と合成音声とを使用して統一された操作形態で分かりやすく適切に音声出力する。【解決手段】検索見出語および説明情報が表示される検索情報表示画面Ｇ１で、当該検索見出語が音声辞書データにおいてネイティブ発音を録音した実音声を有する場合、見出語表示位置の先頭に「スピーカ」アイコン２２を反転表示Ｈさせると共に「トゥルーボイス」アイコン２３を表示させ「訳／決定」キー１４ｄの入力に応じ前記実音声による見出語読み上げ音声を出力させ、前記検索見出語が実音声を持たない見出語である場合、「スピーカ」アイコン２２と「トゥルーボイス」アイコン２３の表示は無く当該見出語自身を反転表示Ｈさせ「訳／決定」キー１４ｄの入力に応じ合成音声による見出語読み上げ音声を出力させる。【選択図】      図６
2006215667.tif 000002
【特許請求の範囲】
【請求項１】
見出語とその説明情報とを対応付けて記憶する辞書記憶手段と、
この辞書記憶手段により記憶された見出語のうち予め定められた見出語に対応した実音声を記憶する音声記憶手段と、
入力された見出語に対応して前記辞書記憶手段により記憶された当該見出語とその説明情報を検索して表示させる辞書検索表示制御手段と、
ユーザ操作に応じて音声の出力を指示する音声出力指示手段と、
前記辞書検索表示制御手段により表示された見出語とその説明情報の表示画面にあって、前記音声出力指示手段により音声の出力が指示された際に、表示中の見出語に対応した実音声が前記音声記憶手段により記憶されている場合には特定のマークを指定表示させ、記憶されてない場合には表示中の見出語を指定表示させる指定表示制御手段と、
この指定表示制御手段により特定のマークが指定表示された場合は表示中の見出語に対応して前記音声記憶手段により記憶されている実音声を出力させる実音声出力制御手段と、
前記指定表示制御手段により表示中の見出語が指定表示された場合は当該見出語に対応した合成音声を生成して出力させる合成音声出力制御手段と、
を備えたことを特徴とする電子機器。
【請求項２】
さらに、
前記辞書検索表示制御手段により表示された見出語とその説明情報の表示画面にあって、前記指定表示制御手段による特定のマークまたは見出語に対する指定表示の位置を、ユーザ操作に応じて説明情報に含まれる任意の１文に対して移動させる指定位置移動制御手段を備え、
前記合成音声出力制御手段は、前記指定位置移動制御手段により表示中の説明情報の１文が指定表示された場合は、当該一文に対応した合成音声を生成して出力させる一文音声出力制御手段を有する、
ことを特徴とする請求項１に記載の電子機器。
【請求項３】
さらに、
前記指定位置移動制御手段により移動された説明情報中の任意の一文に対する指定表示の先頭位置を、ユーザ操作に応じて前後に変更させる指定先頭位置変更制御手段を備え、
前記合成音声出力制御手段は、前記指定先頭位置変更制御手段により表示中の説明情報の１文に対する指定表示の先頭位置が変更された場合は、当該一文の指定表示の先頭位置以降の部分に対応した合成音声を生成して出力させる部分音声出力制御手段を有する、
ことを特徴とする請求項１または請求項２に記載の電子機器。
【請求項４】
さらに、
前記指定表示制御手段により特定のマークが指定表示されるのに伴い、実音声の出力可能を示す実音声マークを表示させる実音声マーク表示制御手段を備えたことを特徴とする請求項１ないし請求項３の何れか１項に記載の電子機器。
【請求項５】
前記合成音声出力制御手段は、指定表示された音声出力対象の文字列中に記号が含まれる場合は当該記号を削除した文字列に対応した合成音声を生成して出力させることを特徴とする請求項１ないし請求項４の何れか１項に記載の電子機器。
【請求項６】
前記合成音声出力制御手段は、指定表示された音声出力対象の文字列中に括弧記号が含まれる場合は当該括弧記号の範囲を削除した文字列に対応した合成音声を生成して出力させることを特徴とする請求項１ないし請求項５の何れか１項に記載の電子機器。
【請求項７】
見出語とその説明情報とを対応付けて記憶する辞書記憶手段と、この辞書記憶手段により記憶された見出語のうち予め定められた見出語に対応した実音声を記憶する音声記憶手段とを備えた電子機器のコンピュータを制御するための制御プログラムであって、
前記コンピュータを、
入力された見出語に対応して前記辞書記憶手段により記憶された当該見出語とその説明情報を検索して表示させる辞書検索表示制御手段、
この辞書検索表示制御手段により表示された見出語とその説明情報の表示画面にあって、ユーザ操作に応じて音声の出力が指示された際に、表示中の見出語に対応した実音声が前記音声記憶手段により記憶されている場合には特定のマークを指定表示させ、記憶されてない場合には表示中の見出語を指定表示させる指定表示制御手段、
この指定表示制御手段により特定のマークが指定表示された場合は表示中の見出語に対応して前記音声記憶手段により記憶されている実音声を出力させる実音声出力制御手段、
前記指定表示制御手段により表示中の見出語が指定表示された場合は当該見出語に対応した合成音声を生成して出力させる合成音声出力制御手段、
として機能させるためのコンピュータ読み込み可能な電子機器の制御プログラム。
【発明の詳細な説明】
【技術分野】
【０００１】
本発明は、テキストの表示機能や表示されたテキストの読み上げ音声を出力する機能を備えた小型携帯電子辞書などの電子機器およびその制御プログラムに関する。
【背景技術】
【０００２】
従来の電子機器において、表示されたテキストの読み上げ音声を出力するものは種々提案されている。
【０００３】
例えばその一つには、電子辞書などの小型携帯の電子機器で、例えば辞書検索されて表示された単語の読み上げ音声を出力できるものが提案されている（例えば、特許文献１参照。）。
【０００４】
また、近年のパーソナルコンピュータなどのように、テキスト表示を順次進めながら当該表示テキストの読み上げ音声を出力するための処理プログラムを組み込んだテキスト読み上げ装置がある（例えば、特許文献２参照。）。
【０００５】
例えば電子辞書では、辞書データとして格納される単語毎にネイティブにより録音された音声データ（実音声）を対応付けて記憶しており、辞書検索によって見出語（単語）の訳など（説明情報）を表示させた場合に、この表示された単語に対応付けられて記憶されている実音声データを読み出して出力するものが開発されている。
【特許文献１】特開平１１−２０２７５１号公報
【特許文献２】特開平０７−０６４５８３号公報
【発明の開示】
【発明が解決しようとする課題】
【０００６】
しかしながら、前記従来の電子辞書のように、辞書データとして格納される膨大な数の単語毎にネイティブの発声した音声データを録音し対応付けして記憶させたのでは、その作業は非常に繁雑なものとなり、しかも音声データを記憶するためのメモリ容量も非常に大きなものが必要になる。
【０００７】
このため特に、小型、携帯、安価が要求される現状の電子辞書の製品では、辞書データに格納された数万語以上という膨大な見出語（単語）の全てではなく、予め厳選された見出語についてのみ音声データを録音記憶させて、その読み上げ音声の出力を可能としている。従って、厳選された見出語（単語）以外の見出語は勿論、各見出語の説明情報中の例文などのテキストについては、全く音声出力することができない問題がある。
【０００８】
一方、パーソナルコンピュータ（ＰＣ）などにおいて、テキストデータの読み上げ音声出力処理ソフトを使用して、当該ＰＣにて扱う英文などのテキストデータについて合成音声を生成して音声出力可能ではあるが、ネイティブ録音による実音声データほどクリアでなく実用に即していないため、正確な単語の音声を学習するには不十分な問題がある。
【０００９】
本発明は、このような問題に鑑みなされたもので、ユーザ指定の任意の見出語や説明情報中のテキスト部分を、実音声と合成音声とを使用して統一された操作形態で分かりやすく適切に音声出力することが可能になる電子機器およびその制御プログラムを提供することを目的とする。
【課題を解決するための手段】
【００１０】
本発明の請求項１（請求項７）に記載の電子機器（電子機器の制御プログラム）では、入力された見出語に対応して辞書記憶手段により記憶された当該見出語とその説明情報が辞書検索表示制御手段によって検索表示され、この検索表示された見出語とその説明情報の表示画面にあって、ユーザ操作に応じて音声の出力が指示されると、指定表示制御手段によって、表示中の見出語に対応した実音声が音声記憶手段により記憶されている場合は特定のマークが指定表示され、記憶されてない場合は表示中の見出語が指定表示される。そして、この指定表示制御手段により特定のマークが指定表示された場合は実音声出力制御手段によって表示中の見出語に対応して音声記憶手段により記憶されている実音声が出力され、また、表示中の見出語が指定表示された場合は合成音声出力制御手段によって当該見出語に対応した合成音声が生成されて出力される。
【００１１】
これによれば、一連の辞書検索操作に従い検索表示された見出語について、実音声を有する見出語である場合は実音声で、実音声を持たない見出語である場合は合成音声で、その読み上げ音声を出力でき、しかも実音声による音声出力かまたは合成音声による音声出力かをユーザに明確に報知することができる。
【００１２】
本発明の請求項２に記載の電子機器では、前記請求項１に記載の電子機器にあって、さらに、辞書検索表示制御手段により表示された見出語とその説明情報の表示画面にあって、指定表示制御手段による特定のマークまたは見出語に対する指定表示の位置を、ユーザ操作に応じて説明情報に含まれる任意の１文に対して移動させる指定位置移動制御手段を備え、合成音声出力制御手段は、指定位置移動制御手段により表示中の説明情報の１文が指定表示された場合は、当該一文に対応した合成音声を生成して出力させる一文音声出力制御手段を有することを特徴とする。
【００１３】
これによれば、一連の辞書検索操作に従った見出語とその説明情報の表示に続いて、当該説明情報中の任意の例文などを１文単位で容易に指定表示させ、その読み上げ音声を合成音声として生成出力できることになる。
【００１４】
本発明の請求項３に記載の電子機器では、前記請求項１または請求項２に記載の電子機器にあって、さらに、指定位置移動制御手段により移動された説明情報中の任意の一文に対する指定表示の先頭位置を、ユーザ操作に応じて前後に変更させる指定先頭位置変更制御手段を備え、合成音声出力制御手段は、指定先頭位置変更制御手段により表示中の説明情報の１文に対する指定表示の先頭位置が変更された場合は、当該一文の指定表示の先頭位置以降の部分に対応した合成音声を生成して出力させる部分音声出力制御手段を有することを特徴とする。
【００１５】
これによれば、辞書検索表示された見出語とその説明情報における任意の例文などの１文単位での指定表示に続いて、当該指定表示の先頭位置を例えば単語単位で文中の前後方向に容易に変更させ、この先頭位置変更後の指定表示に対応した部分の読み上げ音声を合成音声として生成出力できることになる。
【００１６】
本発明の請求項４に記載の電子機器では、前記請求項１ないし請求項３の何れか１項に記載の電子機器にあって、さらに、指定表示制御手段により特定のマークが指定表示されるのに伴い、実音声の出力可能を示す実音声マークを表示させる実音声マーク表示制御手段を備えたことを特徴とする。
【００１７】
これによれば、特定のマークだけでなく実音声マークの表示によって、現在検索表示中の見出語が実音声により音声出力可能であることを明確に報知できることになる。
【００１８】
本発明の請求項５に記載の電子機器では、前記請求項１ないし請求項４の何れか１項に記載の電子機器にあって、合成音声出力制御手段は、指定表示された音声出力対象の文字列中に記号が含まれる場合は当該記号を削除した文字列に対応した合成音声を生成して出力させることを特徴とする。
【００１９】
これによれば、指定表示された音声出力対象の文字列中に記号が含まれる場合、例えば文字列の単語に含まれる中点「・」やアポストロフィー「‘」などの記号は削除された後に当該文字列に対応した合成音声が生成出力されるので、指定表示された見出し語や例文あるいは例文の一部を適切な読み上げ音声にして出力できることになる。
【００２０】
本発明の請求項６に記載の電子機器では、前記請求項１ないし請求項５の何れか１項に記載の電子機器にあって、合成音声出力制御手段は、指定表示された音声出力対象の文字列中に括弧記号が含まれる場合は当該括弧記号の範囲を削除した文字列に対応した合成音声を生成して出力させることを特徴とする。
【００２１】
これによれば、指定表示された音声出力対象の文字列中に括弧記号が含まれる場合、例えば文字列に含まれる「（）」や「［］」などの括弧記号による追加あるいは入れ替えを示す文字列範囲は削除された後に当該文字列に対応した合成音声が生成出力されるので、指定表示された例文あるいは例文の一部を適切な読み上げ音声にして出力できることになる。
【発明の効果】
【００２２】
本発明の請求項１（請求項７）に記載の電子機器（電子機器の制御プログラム）によれば、一連の辞書検索操作に従い検索表示された見出語について、実音声を有する見出語である場合は実音声で、実音声を持たない見出語である場合は合成音声で、その読み上げ音声を出力でき、しかも実音声による音声出力かまたは合成音声による音声出力かをユーザに明確に報知することができる。
【００２３】
本発明の請求項２に記載の電子機器によれば、前記請求項１に記載の電子機器にあって、一連の辞書検索操作に従った見出語とその説明情報の表示に続いて、当該説明情報中の任意の例文などを１文単位で容易に指定表示させ、その読み上げ音声を合成音声として生成出力できるようになる。
【００２４】
本発明の請求項３に記載の電子機器によれば、前記請求項１または請求項２に記載の電子機器にあって、辞書検索表示された見出語とその説明情報における任意の例文などの１文単位での指定表示に続いて、当該指定表示の先頭位置を例えば単語単位で文中の前後方向に容易に変更させ、この先頭位置変更後の指定表示に対応した部分の読み上げ音声を合成音声として生成出力できるようになる。
【００２５】
本発明の請求項４に記載の電子機器によれば、前記請求項１ないし請求項３の何れか１項に記載の電子機器にあって、特定のマークだけでなく実音声マークの表示によって、現在検索表示中の見出語が実音声により音声出力可能であることを明確に報知できるようになる。
【００２６】
本発明の請求項５に記載の電子機器によれば、前記請求項１ないし請求項４の何れか１項に記載の電子機器にあって、指定表示された音声出力対象の文字列中に記号が含まれる場合、例えば文字列の単語に含まれる中点「・」やアポストロフィー「‘」などの記号は削除された後に当該文字列に対応した合成音声が生成出力されるので、指定表示された見出し語や例文あるいは例文の一部を適切な読み上げ音声にして出力できるようになる。
【００２７】
本発明の請求項６に記載の電子機器によれば、前記請求項１ないし請求項５の何れか１項に記載の電子機器にあって、指定表示された音声出力対象の文字列中に括弧記号が含まれる場合、例えば文字列に含まれる「（）」や「［］」などの括弧記号による追加あるいは入れ替えを示す文字列範囲は削除された後に当該文字列に対応した合成音声が生成出力されるので、指定表示された例文あるいは例文の一部を適切な読み上げ音声にして出力できるようになる。
【００２８】
よって、本発明によれば、ユーザ指定の任意の見出語や説明情報中のテキスト部分を、実音声と合成音声とを使用して統一された操作形態で分かりやすく適切に音声出力することが可能になる電子機器およびその制御プログラムを提供できる。
【発明を実施するための最良の形態】
【００２９】
以下図面により本発明の実施の形態について説明する。
【００３０】
図１は、本発明の電子機器の実施形態に係る携帯機器（電子辞書）１０の電子回路の構成を示すブロック図である。
【００３１】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、または伝送されたプログラムを読み込んで、その読み込んだプログラムによって動作が制御されるコンピュータによって構成され、その電子回路には、ＣＰＵ(central processing unit)１１が備えられる。
【００３２】
ＣＰＵ１１は、プログラムＲＯＭ１２ａ内に予め記憶された装置制御プログラム、あるいはメモリカード１３などの外部記憶媒体からプログラムＲＯＭ１２ａに読み込まれた装置制御プログラム、あるいは図示しないインターネットＮ上のＷｅｂサーバ（この場合はプログラムサーバ）から通信機器を経由してプログラムＲＯＭ１２ａに読み込まれた装置制御プログラムに応じて、回路各部の動作を制御するもので、前記プログラムＲＯＭ１２ａに記憶された装置制御プログラムは、キーボード１４やタッチパネル１５である入力部１６からのユーザ操作に応じた入力信号、あるいは外部接続されるＥＥＰＲＯＭ，ＲＡＭ，ＲＯＭなどのメモリカード（記憶媒体）１３との接続通信信号に応じて起動される。
【００３３】
前記ＣＰＵ１１には、前記プログラムＲＯＭ１２ａの他、データベースＲＯＭ１２ｂ、ＲＡＭ１２ｃが接続され、また前記メモリカード１３、キーボード１４、タッチパネル１５が接続される他に、ＬＣＤからなる表示部１７、音声出力用のアンプ１８ａを介したスピーカ１８などが接続される。
【００３４】
そして、この携帯機器（電子辞書）１０の電子回路は、電池電源Ｂによる電源回路１９からの電圧供給によって駆動される。
【００３５】
図２は、前記携帯機器（電子辞書）１０のプログラムＲＯＭ１２ａ、データベースＲＯＭ１２ｂ、ＲＡＭ１２ｃに記憶されるデータの内容を示す図である。
【００３６】
プログラムＲＯＭ１２ａに記憶される装置制御プログラムとしては、当該携帯機器（電子辞書）１０の全体の動作を司るメイン処理プログラム１２a1が記憶される他に、辞書データ（１２b1）に基づいて入力文字に応じた見出語の検索表示およびその説明情報の検索表示を行うための辞書検索処理プログラム１２a2、表示上で指定されたテキストデータをネイティブによる発音を録音した実音声または合成音声による読み上げ音声として出力させるための合成音声出力処理プログラム１２a3、音声出力の対象であるテキストデータの文字列組合せや発音記号に従って各音素の合成音声データ（１２b3）を合成してその読み上げ音声を生成し出力させるための音声合成処理プログラム１２a4などが記憶される。
【００３７】
データベースＲＯＭ１２ｂには、英和辞書、英英辞書、和英辞書、国語辞書、漢和辞書独和辞書、仏和辞書などの各種の辞書データ１２b1、ネイティブの発音により音声出力可能とすべき辞書データの厳選された見出語（および説明情報）について録音したネイティブ発音による実音声データを対応付けた音声辞書データ１２b2、音声出力の対象として指定されたテキストデータに基づいて音声合成処理にて使用される各音素に対応させた合成音声データ１２b3などが記憶される。
【００３８】
なお、データベースＲＯＭ１２ｂに記憶された辞書データ１２b1や音声辞書データ１２b2と同様に、メモリカード１３に記憶された他の辞書データや音声辞書データを外部から入力して利用可能である。
【００３９】
ＲＡＭ１２ｃには、入力部１６（１４，１５）から入力された文字データを記憶するための入力文字メモリ１２c1、辞書検索処理（１２a2）に従い検索された見出語やその説明情報を記憶するための検索見出語メモリ１２c2、検索表示された見出語及びその説明情報の中でユーザ入力に応じて指定された単語や例文などの位置データを記憶する見出語情報指定位置メモリ１２c3などが備えられる。
【００４０】
図３は、前記携帯機器（電子辞書）１０の外観構成を示す正面図である。
【００４１】
この携帯機器（電子辞書）１０は、例えば折り畳み式の筐体を有し、上下方向に開放した状態で上部側には透明タッチパネル１５を重ねた表示部１７、下部側にはキーボード１４およびスピーカ１８が配置される。
【００４２】
キーボード１４には、電源の投入／遮断を行うための「ＯＮ／ＯＦＦ」キー１４ａ、各種別のメイン辞書を指定して入力見出語に対応する単語や説明情報の検索を行うための各辞書キー１４b1，１４b2，１４b3，…、ひらがな，カタカナ，漢字，英数字を任意入力するための一連の文字入力キー１４ｃが配列されると共に、選択データの決定／確定や選択見出語に対応した説明情報の読出し表示さらにその読み上げ音声出力を指示するための「訳／決定」キー１６ｄ、表示画面上でのデータ選択操作やスクロール操作を行うための上下左右方向の各カーソルキー１４ｅ、各種ページ操作の他、検索表示中の隣接見出語や隣接例文への切り替え指定操作を行うためのアップ・ダウンキー１４ｆ、反転表示Ｈによって指定されているテキストデータについて音声出力モードに設定するための「音声」キー１４ｇ、検索表示中の見出語・説明情報についての用例または解説を表示させるための「用例・解説」キー１４ｈ、シフトモードに設定するための「シフト」キー１４ｉ、処理ステップの戻りを指示するための「戻る」キー１４ｊなどが備えられる。
【００４３】
この携帯機器（電子辞書）１０では、辞書検索により表示された見出語及びその説明情報において、ユーザ操作により読み上げ音声の出力対象である単語や例文などのテキストデータが指定されると、当該テキストデータを実音声または合成音声によって順次音声出力させるもので、その際、読み上げ音声の出力対象であるテキストデータのユーザによる指定操作は、何れの単語・例文などに対しても統一的な操作で容易に行える一方で、当該ユーザ操作により指定されたテキストデータの音声出力が実音声で行われるか合成音声で行われるかをユーザに分かりやすく報知することができる。
【００４４】
次に、前記構成の携帯機器（電子辞書）１０による辞書検索機能および音声出力機能について説明する。
【００４５】
図４は、前記携帯機器（電子辞書）１０による辞書検索音声出力処理（その１）を示すフローチャートである。
【００４６】
図５は、前記携帯機器（電子辞書）１０による辞書検索音声出力処理（その２）を示すフローチャートである。
【００４７】
図６は、前記携帯機器（電子辞書）１０の辞書検索音声出力処理に伴う実音声データを有する見出語「get」に対応した検索情報表示画面Ｇ１の表示動作および音声発声動作を示す図である。
【００４８】
プログラムＲＯＭ１２ａに記憶された辞書検索処理プログラム１２a2が起動された状態で、キーボード１４に対するユーザ操作に応じて検索対象となる文字が入力されＲＡＭ１２ｃ内の入力文字メモリ１２c1に記憶されると（ステップＳ１）、この入力文字に対応する見出語がデータベースＲＯＭ１２ｂに記憶されている辞書データ１２b1に基づき検索され、見出語一覧画面（図示せず）として表示部１７に表示される（ステップＳ２）。
【００４９】
この見出語一覧画面の表示状態において、キーボード１４に対するユーザ操作に応じたカーソル移動および「訳／決定」キー１４ｄの操作入力によりユーザ所望の見出語（例えば「get」が選択されると（ステップＳ３）、この選択された見出語「get」とその説明情報が前記辞書データ１２b1から読み出され検索見出語メモリ１２c2に記憶されると共に、例えば図６（Ａ）に示すように、検索情報表示画面Ｇ１として表示部１７に表示される（ステップＳ４）。
【００５０】
この検索見出語「get」の検索情報表示画面Ｇ１にあって、音声出力モードに設定するべくキーボード１４の「音声」キー１４ｇの操作に応じたキー操作信号が入力されると（ステップＳ５）、図６（Ｂ）に示すように、検索情報表示画面Ｇ１上の辞書名欄に「音声」アイコン２１が表示され、音声出力モードの選択中であることが報知される（ステップＳ６）。
【００５１】
そして、この検索情報表示画面Ｇ１にて検索表示されている見出語「get」が実音声データを有する見出語であるか否かが、例えばデータベースＲＯＭ１２ｂ内の音声辞書データ１２b2として登録されている見出語であるか否かに従い判断される（ステップＳ７）。
【００５２】
この見出語「get」の場合に、実音声データを有する見出語であると判断されると、図６（Ｂ）に示すように、当該見出語「get」の表示行の先頭に表示されている「スピーカ」アイコン２２が反転表示Ｈされると共に、前記辞書名欄の「音声」アイコン２１に隣接して「トゥルーボイス」アイコン２３が表示され、現在検索表示中の見出語「get」が実音声データを有する検索見出語であること、およびこの場での「訳／決定」キー１４ｄの操作によって実音声による出力が可能であることがユーザに報知される（ステップＳ７→Ｓ８）。
【００５３】
このような検索情報表示画面Ｇ１上での「スピーカ」アイコン２２の反転表示Ｈおよび「トゥルーボイス」アイコン２３の表示が行われている状態で、検索見出語「get」の実音声による音声出力を行わせるべく「訳／決定」キー１４ｄが操作されると（ステップＳ９）、当該検索見出語「get」に対応付けられて音声辞書データ１２b2に記憶されているネイティブ録音された実音声による読み上げ音声がスピーカ１８から出力される（ステップＳ１０）。
【００５４】
一方、前記図６（Ｂ）で示したように、「スピーカ」アイコン２２が反転表示Ｈされている状態で、「右カーソル」キー１４eRが操作されると、図６（Ｃ）に示すように、前記「トゥルーボイス」アイコン２３は表示されずに、当該反転表示Ｈによる指定桁がカーソル操作の方向に移動されてその指定桁を含む一文のテキストデータ（この場合は「get」）が反転表示Ｈされる（ステップＳ１４〜Ｓ１７）。
【００５５】
このように検索情報表示画面Ｇ１上での検索見出語「get」そのものが反転表示Ｈされると共に「トゥルーボイス」アイコン２３が表示されていない状態で、検索見出語「get」の音声出力を行わせるべく「訳／決定」キー１４ｄが操作されると（ステップＳ１８）、当該反転表示されたテキストデータ「get」が音声出力対象として抽出され（ステップＳ１９）、音声合成処理（１２a4）により当該テキストデータを読み上げる合成音声信号が生成され、アンプ１８ａを介してスピーカ１８からその合成音声による読み上げ音声が出力される（ステップＳ２０〜Ｓ２２）。
【００５６】
この際、前記反転表示Ｈされて音声出力対象として抽出されたテキストデータの中に（）や［］などの括弧部分が含まれている場合には該括弧部分は削除され（ステップＳ２０）、また同反転表示Ｈされて音声出力対象として抽出されたテキストデータの中に中点「・」が含まれている場合には該中点も削除され（ステップＳ２１）、読み上げ音声に不要な部分が削除されて合成音出力処理（ステップＳ２２）される。
【００５７】
図７は、前記携帯機器（電子辞書）１０の辞書検索音声出力処理に伴う実音声データを持たない見出語「education」に対応した検索情報表示画面Ｇ１の表示動作および音声発声動作を示す図である。
【００５８】
ユーザ所望の入力文字に応じて検索された見出語一覧画面の表示状態において（ステップＳ１，Ｓ２）、キーボード１４に対するユーザ操作に応じたカーソル移動および「訳／決定」キー１４ｄの操作入力によりユーザ所望の見出語（例えば「education」が選択されると（ステップＳ３）、この選択された見出語「education」とその説明情報が前記辞書データ１２b1から読み出され検索見出語メモリ１２c2に記憶されると共に、例えば図７（Ａ）に示すように、検索情報表示画面Ｇ１として表示部１７に表示される（ステップＳ４）。
【００５９】
この検索見出語「education」の検索情報表示画面Ｇ１にあって、音声出力モードに設定するべくキーボード１４の「音声」キー１４ｇの操作に応じたキー操作信号が入力されると（ステップＳ５）、図７（Ｂ）に示すように、検索情報表示画面Ｇ１上の辞書名欄に「音声」アイコン２１が表示され、音声出力モードの選択中であることが報知される（ステップＳ６）。
【００６０】
そして、この検索情報表示画面Ｇ１にて検索表示されている見出語「education」が実音声データを持たない見出語であることが、例えばデータベースＲＯＭ１２ｂ内の音声辞書データ１２b2として登録されていない見出語であることで判断され（ステップＳ７）、図７（Ｂ）に示すように、当該検索情報表示画面Ｇ１にて表示中の見出語「education」が反転表示Ｈされる。この際「トゥルーボイス」アイコン２３は表示されない（ステップＳ１１）。
【００６１】
この検索情報表示画面Ｇ１上での検索見出語「education」が反転表示Ｈされると共に「トゥルーボイス」アイコン２３が表示されていない状態で、その音声出力を行わせるべく「訳／決定」キー１４ｄが操作されると（ステップＳ１８）、当該反転表示されたテキストデータ「education」が音声出力対象として抽出され（ステップＳ１９）、音声合成処理（１２a4）により当該テキストデータを読み上げる合成音声信号が生成され、アンプ１８ａを介してスピーカ１８からその合成音声による読み上げ音声が出力される（ステップＳ２０〜Ｓ２２）。
【００６２】
この際、前記反転表示Ｈされて音声出力対象として抽出されたテキストデータの中に（）や［］などの括弧部分が含まれている場合には該括弧部分は削除され（ステップＳ２０）、また同反転表示Ｈされて音声出力対象として抽出されたテキストデータの中に中点「・」が含まれている場合には該中点も削除され（ステップＳ２１）、読み上げ音声に不要な部分が削除されて合成音出力処理（ステップＳ２２）される。
【００６３】
一方、前記検索見出語「education」が反転表示Ｈされている状態で、「下カーソル」キー１４eDが操作されると、図７（Ｃ）（Ｄ）に示すように、「トゥルーボイス」アイコン２３は表示されず、当該反転表示Ｈによる指定行がカーソル操作の方向にその操作回数に応じた分だけ移動されてそれぞれその指定行を含む一文のテキストデータ（１回操作の場合には「the process … college」）（３回操作の場合には「Jody’s grandmother … school).」)が反転表示Ｈされる（ステップＳ１２→Ｓ１３）。
【００６４】
ここで、例えば図７（Ｄ）で示したように、検索情報表示画面Ｇ１上での検索見出語「education」の３つ目の例文「Jody’s grandmother … school).」が反転表示Ｈされると共に、「トゥルーボイス」アイコン２３が表示されていない状態で、その音声出力を行わせるべく「訳／決定」キー１４ｄが操作されると（ステップＳ１８）、当該反転表示されたテキストデータ「Jody’s grandmother … school).」が音声出力対象として抽出され（ステップＳ１９）、音声合成処理（１２a4）により当該テキストデータを読み上げる合成音声信号が生成され、アンプ１８ａを介してスピーカ１８からその合成音声による読み上げ音声が出力される（ステップＳ２０〜Ｓ２２）。
【００６５】
この際、前記反転表示Ｈされて音声出力対象として抽出されたテキストデータの中に（）や［］などの括弧部分が含まれている場合には該括弧部分（この場合には「(=education in a school)」）は削除され（ステップＳ２０）、また同反転表示Ｈされて音声出力対象として抽出されたテキストデータの中に中点「・」が含まれている場合には該中点も削除され（ステップＳ２１）、読み上げ音声に不要な部分が削除されて合成音出力処理（ステップＳ２２）される。
【００６６】
また、例えば図７（Ｃ）で示したように、検索情報表示画面Ｇ１上での検索見出語「education」の１つ目の例文「the process … college」が反転表示Ｈされている状態で、「右カーソル」キー１４eRが操作されると、「トゥルーボイス」アイコン２３は表示せずに、当該反転表示Ｈによる現在の指定桁「the」が当該カーソル操作の都度カーソル操作の右方向に移動され、例えば１回の右カーソル操作の場合には、図７（Ｅ）に示すように、１桁右の指定桁「process」を先頭に含む以降の一文のテキストデータ「process … college」が反転表示Ｈされる（ステップＳ１４〜Ｓ１７）。
【００６７】
ここで、前記「右カーソル」キー１４eRにより指定の例文の先頭位置を任意に移動変更したテキストデータ「process … college」について、音声出力を行わせるべく「訳／決定」キー１４ｄが操作されると（ステップＳ１８）、当該反転表示されたテキストデータ「process … college」が音声出力対象として抽出され（ステップＳ１９）、音声合成処理（１２a4）により当該テキストデータを読み上げる合成音声信号が生成され、スピーカ１８からその合成音声による読み上げ音声が出力される（ステップＳ２０〜Ｓ２２）。
【００６８】
このように、特に例文などを指定してその読み上げ音声を出力させたい場合には、「右カーソル」キー１４eRの操作によってその読み上げ音声の出力開始桁（先頭単語）を所望の位置に容易に変更して音声出力させることができる。
【００６９】
なお、前記検索情報表示画面Ｇ１上での反転表示Ｈによる読み上げ音声出力対象の指定位置を「右カーソル」キー１４eRの操作によって移動変更させている状態で、当該反転表示Ｈによる指定位置が表示中の検索見出語情報の末尾を超えて先頭に戻った際に、その指定位置が、例えば図６（Ａ）（Ｂ）で示したように、実音声データを有する見出語に応じた検索情報表示画面Ｇ１上の「スピーカ」アイコン２２の位置であると判断された場合には（ステップＳ１４〜Ｓ１６）、前記ステップＳ８〜Ｓ１０の処理に移行され、当該「スピーカ」アイコン２２の反転表示Ｈおよび「トゥルーボイス」アイコン２３の表示処理と共に「訳／決定」キー１４ｄの操作に応じた現在検索見出語の実音声による読み上げ音声出力処理が実行される。
【００７０】
一方、例えば前記図７（Ａ）で示した、見出語「education」の検索情報表示画面Ｇ１にあって（ステップＳ１〜Ｓ４）、「シフト」キー１４ｉ＋「音声」キー１４ｇの操作入力によって検索見出語情報における説明情報１単語毎の音声出力［単語音声］が指示されたと判断されると（ステップＳ５→Ｓ２３）、図７（Ｆ）に示すように、検索情報表示画面Ｇ１上の辞書名欄に「音声」アイコン２１が表示され、音声出力モードの選択中であることが報知される（ステップＳ２４）。
【００７１】
そして、この検索情報表示画面Ｇ１での検索見出語「education」が実音声データを有する見出語であるか否かが判断され（ステップＳ２５）、当該検索見出語「education」が実音声データを持たない見出語であると判断されると、図７（Ｆ）に示すように、当該検索情報表示画面Ｇ１にて表示中にある説明情報の先頭単語「the」が反転表示Ｈされる。この際「トゥルーボイス」アイコン２３は表示されない（ステップＳ２６）。
【００７２】
このような［単語音声］指定時の検索情報表示画面Ｇ１における説明情報先頭単語「the」が反転表示Ｈされた状態で、「下カーソル」キー１４eDが操作されると、「トゥルーボイス」アイコン２３は表示されず、当該反転表示Ｈのある指定行がカーソル操作の方向にその操作回数に応じた分だけ移動されてその移動先の行の先頭に位置する単語が反転表示Ｈされる（ステップＳ２７→Ｓ２８）。
【００７３】
一方、「右カーソル」キー１４eRが操作されると、「トゥルーボイス」アイコン２３は表示されず、当該反転表示Ｈによる現在の単語の指定桁が当該カーソル操作の都度カーソル操作の右方向の単語に移動され、例えば１回の右カーソル操作の場合には、１つ右隣の単語が反転表示Ｈされる（ステップＳ２９〜Ｓ３２）。
【００７４】
ここで、例えば図７（Ｆ）で示したように、検索情報表示画面Ｇ１上での検索見出語「education」の１つ目の例文における先頭単語「the」が反転表示Ｈされると共に「トゥルーボイス」アイコン２３が表示されていない状態で、その音声出力を行わせるべく「訳／決定」キー１４ｄが操作されると（ステップＳ３３）、当該反転表示された単語のテキストデータ「the」が音声出力対象として抽出され（ステップＳ３４）、音声合成処理（１２a4）により当該テキストデータを読み上げる合成音声信号が生成され、スピーカ１８からその合成音声による単語読み上げ音声が出力される（ステップＳ３５，Ｓ３６）。
【００７５】
この際、前記反転表示Ｈされて音声出力対象として抽出された単語のテキストデータの中に中点「・」が含まれている場合には該中点のデータは削除され（ステップＳ３５）、読み上げ音声に不要な部分が削除されて合成音出力処理（ステップＳ３６）される。
【００７６】
このように、検索表示された説明情報中にある任意の単語を指定してその読み上げ音声を出力させたい場合には、「下カーソルキー」１４eDの操作によって反転表示Ｈによる単語の指定行を移動させると共に、「右カーソル」キー１４eRの操作によって該指定行中にある任意の単語まで反転表示Ｈの桁位置を容易に移動させ、この反転表示Ｈによる指定単語の読み上げ音声を合成音声として出力させることができる。
【００７７】
一方、任意の見出語の検索情報表示画面Ｇ１にあって（ステップＳ１〜Ｓ４）、「シフト」キー１４ｉ＋「音声」キー１４ｇの操作入力によって検索見出語情報における説明情報１単語毎の音声出力［単語音声］が指示されたと判断された場合であっても（ステップＳ５→Ｓ２３）、当該検索見出語が音声辞書データ１２b2にて実音声データを有する見出語であると判断された場合には（ステップＳ２５(Yes)）、当該検索見出語の表示行の先頭に表示されている「スピーカ」アイコン２２が反転表示Ｈされると共に、ステップＳ２４にて表示された「音声」アイコン２１に隣接して「トゥルーボイス」アイコン２３が表示され、現在検索表示中の見出語が実音声データを有する検索見出語であること、およびこの場での「訳／決定」キー１４ｄの操作によって実音声による出力が可能であることがユーザに報知される（ステップＳ２５→Ｓ３７）。
【００７８】
そして、「訳／決定」キー１４ｄが操作されると（ステップＳ３８）、当該検索見出語に対応付けられて音声辞書データ１２b2に記憶されているネイティブ録音された実音声による読み上げ音声がスピーカ１８から出力される（ステップＳ３９）。
【００７９】
ここで、「下カーソルキー」１４eDや「右カーソルキー」１４eRが操作されると、前記ステップＳ２７〜Ｓ３２の処理に移行され、現在の検索情報表示画面Ｇ１での説明情報中における反転表示Ｈの行桁位置が任意に移動されてユーザ所望の単語が読み上げ音声出力対象の単語として指定表示される。この際「トゥルーボイス」アイコン２３は表示されない。
【００８０】
そして、「訳／決定」キー１４ｄが操作されることで（ステップＳ３３）、当該反転表示Ｈにより指定された説明情報中にある単語の読み上げ合成音声が生成されスピーカ１８から出力される（ステップＳ３４〜Ｓ３６）。
【００８１】
なお、前記検索情報表示画面Ｇ１上での反転表示Ｈによる読み上げ音声出力対象の単語指定位置を「右カーソル」キー１４eRの操作によって移動変更させている状態で、当該反転表示Ｈによる単語指定位置が表示中の検索見出語情報の末尾を超えて先頭に戻った際に、その指定位置が、例えば図６（Ａ）（Ｂ）で示したように、実音声データを有する見出語に応じた検索情報表示画面Ｇ１上の「スピーカ」アイコン２２の位置であると判断された場合には（ステップＳ２９〜Ｓ３１）、前記ステップＳ３７〜Ｓ３９の処理に移行され、当該「スピーカ」アイコン２２の反転表示Ｈおよび「トゥルーボイス」アイコン２３の表示処理と共に「訳／決定」キー１４ｄの操作に応じた現在検索見出語の実音声による読み上げ音声出力処理が実行される。
【００８２】
図８は、前記携帯機器（電子辞書）１０の辞書検索音声出力処理に伴う見出語「get」に対応した検索用例表示画面Ｇ２の表示動作を示す図である。
【００８３】
このような検索用例表示画面Ｇ２にあって、読み上げ音声出力対象の用例を指定表示するための反転表示Ｈの位置は、「下カーソルキー」１４eDの操作に応じて、図８（Ａ）（Ｂ）に示すように、行方向にある次の用例へと順次移動表示されるが、この際、例文中の単語間スペース、括弧「（）」「［］」、中点「・」、アポストロフィー「‘」は無視され、その１文のテキストデータが反転表示Ｈにより指定される（ステップＳ１２→Ｓ１３）。
【００８４】
図９は、前記携帯機器（電子辞書）１０の辞書検索音声出力処理に伴う検索情報表示画面Ｇ１や検索用例表示画面Ｇ２での音声出力対象テキストの反転表示Ｈによる指定状態とその合成音声出力との関係を示す図である。
【００８５】
すなわち、図９（Ａ）に示すように、検索用例表示画面Ｇ２において、「トゥルーボイス」アイコン２３は表示されず、反転表示Ｈされた音声出力対象である１文のテキストデータ「He took … shelf.」は、その「He」から「shelf」まで読み上げ合成音声が生成されて出力される（ステップＳ１８〜Ｓ２２）。
【００８６】
そして、図９（Ｂ）に示すように、検索情報表示画面Ｇ１において、「トゥルーボイス」アイコン２３は表示されず、反転表示Ｈされた音声出力対象である見出語のテキストデータ「get・at・a-ble」は、その「・」と「−」が削除された読み上げ合成音声が生成されて出力される（ステップＳ１８〜Ｓ２２）。
【００８７】
また、図９（Ｃ）に示すように、検索用例表示画面Ｇ２において、「トゥルーボイス」アイコン２３は表示されず、反転表示Ｈされた音声出力対象である１文のテキストデータ「take notes … lecture.」は、その「［］」の部分である「［at］」が削除された読み上げ合成音声が生成されて出力される（ステップＳ１８〜Ｓ２２）。
【００８８】
したがって、前記構成の携帯機器（電子辞書）１０による辞書検索機能および音声出力機能によれば、任意の見出語をキー入力して辞書データ１２b1に基づき検索させ、その検索された見出語および説明情報が表示される検索情報表示画面Ｇ１にあって、当該検索見出語が音声辞書データ１２b2においてネイティブ発音を録音した実音声データを有する見出語である場合には、見出語表示位置の先頭に「スピーカ」アイコン２２を反転表示Ｈさせると共に「トゥルーボイス」アイコン２３を表示させ、「訳／決定」キー１４ｄの操作入力に応じて前記実音声データによる見出語読み上げ音声を出力させ、一方、前記検索見出語が音声辞書データ１２b2において実音声データを持たない見出語である場合には、「スピーカ」アイコン２２と「トゥルーボイス」アイコン２３の表示は無く当該見出語そのものを反転表示Ｈさせ、「訳／決定」キー１４ｄの操作入力に応じて合成音声による見出語読み上げ音声を出力させるので、実音声を有する見出語と有さない見出語とで異なる手順による検索操作や音声出力操作を要することなく、実音声による読み上げ音声出力であるか、または合成音声による読み上げ音声出力であるかをユーザに明確に報知できるようになる。
【００８９】
また、前記構成の携帯機器（電子辞書）１０による辞書検索機能および音声出力機能によれば、検索された見出語の読み上げ音声出力の後、上下左右の「カーソル」キー１４ｅの操作入力に応じて検索情報表示画面Ｇ１上での反転表示Ｈによる音声出力対象のテキスト指定位置を説明情報中の各文単位で行桁方向に任意に移動させ、「訳／決定」キー１４ｄの操作入力に応じて合成音声による読み上げ音声を出力させるので、「スピーカ」アイコン２２ではない任意のテキストの１文が反転表示Ｈされ、しかも「トゥルーボイス」アイコン２３が表示されないことで、合成音声による読み上げ音声であることをユーザに明確に報知しつつ当該反転表示Ｈで指定された１文のテキストを音声合成出力できるようになる。
【００９０】
また、前記構成の携帯機器（電子辞書）１０による辞書検索機能および音声出力機能によれば、「トゥルーボイス」アイコン２３は、実音声データを有する検索見出語であることを報知する「スピーカ」アイコン２２を反転表示Ｈさせて指定するのに伴い表示されるので、その状態で検索見出語の実音声による読み上げ音声出力可能であることを明確に報知することができる。
【００９１】
また、前記構成の携帯機器（電子辞書）１０による辞書検索機能および音声出力機能によれば、検索見出語の説明情報を文単位で反転表示Ｈさせて音声出力対象として指定した状態では、「左右カーソル」キー１４eL，１４eRの操作入力に応じて当該反転表示Ｈの先頭位置が桁方向に単語単位で移動変更表示されるので、当該指定の１文における読み上げ音声の出力開始位置を任意に変更操作してその一部のみ音声出力させることができる。
【００９２】
さらに、前記構成の携帯機器（電子辞書）１０による辞書検索機能および音声出力機能によれば、例えば検索情報表示画面Ｇ１上にて反転表示Ｈにより指定された音声出力対象である単語や例文などのテキストデータについて、単語中に含まれる中点「・」などの記号や例文中に含まれる「（）」「［］」などの囲み記号の部分は削除されて合成音声が生成出力されるので、指定されたテキストデータの読み上げに不要な部分を除外した正しい合成音声を出力することができる。
【００９３】
なお、前記実施形態の携帯機器（電子辞書）１０による辞書検索機能および音声出力機能では、主に英語に関する辞書データ１２b1や音声辞書データ１２b2に従った見出語検索とその表示動作や指定のテキストデータについて実音声がある場合ない場合それぞれの読み上げ音声の出力動作について説明したが、次の図１０に示すように、独語に関する見出語検索に伴い読み上げ音声を出力させる場合には、例えば独語検索用例表示画面Ｇ３にあって、「音声」アイコン２１の表示および「スピーカ」アイコン２２の反転表示Ｈとこれに伴う「トゥルーボイス」アイコン２３の表示を固定のものとして設定し、独語辞書データの場合には検索見出語の単語のみを実音声のみにより読み上げ音声出力可能な構成とする。
【００９４】
図１０は、前記携帯機器（電子辞書）１０の独語に関する辞書検索音声出力処理に伴う見出語「gut」に対応した独語検索用例表示画面Ｇ３の表示動作を示す図である。
【００９５】
すなわち、この独語検索用例表示画面Ｇ３では、「音声」アイコン２１の表示および「スピーカ」アイコン２２の反転表示Ｈとこれに伴う「トゥルーボイス」アイコン２３の表示を固定のものとし、検索見出語の単語のみを実音声のみにより読み上げ音声出力可能な構成とすることで、独語の単語そのものや例文を任意に指定してそのアルファベットの綴りに応じた英語読みでの合成音声出力が成されてしまうのを防止する。
【００９６】
なお、前記各実施形態において記載した携帯機器（電子辞書）１０による各処理の手法、すなわち、図４のフローチャートに示す辞書検索音声出力処理（その１）、図５のフローチャートに示す辞書検索音声出力処理（その２）等の各手法は、何れもコンピュータに実行させることができるプログラムとして、メモリカード（ＲＯＭカード、ＲＡＭカード等）１３、磁気ディスク（フロッピディスク、ハードディスク等）、光ディスク（ＣＤ−ＲＯＭ、ＤＶＤ等）、半導体メモリ等の外部記憶媒体に格納して配布することができる。そして、辞書のデータベース（１２ｂ）を有する種々のコンピュータ端末は、この外部記憶媒体に記憶されたプログラムをプログラムＲＯＭ１２ａに読み込み、この読み込んだプログラムによって動作が制御されることにより、前記実施形態において説明した辞書検索・音声出力機能を実現し、前述した手法による同様の処理を実行することができる。
【００９７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した辞書検索・音声出力機能を実現することもできる。
【００９８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９９】
【図１】本発明の電子機器の実施形態に係る携帯機器（電子辞書）１０の電子回路の構成を示すブロック図。
【図２】前記携帯機器（電子辞書）１０のプログラムＲＯＭ１２ａ、データベースＲＯＭ１２ｂ、ＲＡＭ１２ｃに記憶されるデータの内容を示す図。
【図３】前記携帯機器（電子辞書）１０の外観構成を示す正面図。
【図４】前記携帯機器（電子辞書）１０による辞書検索音声出力処理（その１）を示すフローチャート。
【図５】前記携帯機器（電子辞書）１０による辞書検索音声出力処理（その２）を示すフローチャート。
【図６】前記携帯機器（電子辞書）１０の辞書検索音声出力処理に伴う実音声データを有する見出語「get」に対応した検索情報表示画面Ｇ１の表示動作および音声発声動作を示す図。
【図７】前記携帯機器（電子辞書）１０の辞書検索音声出力処理に伴う実音声データを持たない見出語「education」に対応した検索情報表示画面Ｇ１の表示動作および音声発声動作を示す図。
【図８】前記携帯機器（電子辞書）１０の辞書検索音声出力処理に伴う見出語「get」に対応した検索用例表示画面Ｇ２の表示動作を示す図。
【図９】前記携帯機器（電子辞書）１０の辞書検索音声出力処理に伴う検索情報表示画面Ｇ１や検索用例表示画面Ｇ２での音声出力対象テキストの反転表示Ｈによる指定状態とその合成音声出力との関係を示す図。
【図１０】前記携帯機器（電子辞書）１０の独語に関する辞書検索音声出力処理に伴う見出語「gut」に対応した独語検索用例表示画面Ｇ３の表示動作を示す図。
【符号の説明】
【０１００】
１０  …携帯機器（電子辞書）
１１  …ＣＰＵ
１２ａ…プログラムＲＯＭ
１２a1…メイン処理プログラム
１２a2…辞書検索処理プログラム
１２a3…合成音声出力処理プログラム
１２a4…音声合成処理プログラム
１２ｂ…データベースＲＯＭ
１２b1…辞書データ
１２b2…音声辞書データ
１２b3…合成音声データ
１２ｃ…ＲＡＭ
１２c1…入力文字メモリ
１２c2…検索見出語メモリ
１２c3…見出語情報指定位置メモリ
１３  …メモリカード
１４  …キーボード（Ｋｅｙ）
１４ａ…「ＯＮ／ＯＦＦ」キー
１４bn…各辞書キー
１４ｃ…文字入力キー
１４ｄ…「訳／決定」キー
１４ｅ…各カーソルキー
１４ｆ…アップ・ダウンキー
１４ｇ…「音声」キー
１４ｈ…「用例・解説」キー
１４ｉ…「シフト」キー
１４ｊ…「戻る」キー
１５  …タッチパネル
１６  …入力部
１７  …表示部（ＬＣＤ）
１８  …スピーカ
１８ａ…アンプ（Ａｍｐ）
１９  …電源回路
２１  …「音声」アイコン
２２  …「スピーカ」アイコン
２３  …「トゥルーボイス」アイコン
Ｂ  …電池電源
Ｇ１…検索情報表示画面
Ｇ２…検索用例表示画面
Ｇ３…独語検索用例表示画面
Ｈ  …反転指示表示
【図１】
2006215667.tif 000003
【図２】
2006215667.tif 000004
【図３】
2006215667.tif 000005
【図４】
2006215667.tif 000006
【図５】
2006215667.tif 000007
【図６】
2006215667.tif 000008
【図７】
2006215667.tif 000009
【図８】
2006215667.tif 000010
【図９】
2006215667.tif 000011
【図１０】
2006215667.tif 000012